(57)【要約】【課題】この発明は、三方枠と扉との間の隙間に障害物が引き込まれるのを防止することができるとともに、シートを簡単に交換することができ、公告内容の変更に容易に対応することができるエレベータの乗場出入口装置を得る。【解決手段】この発明のエレベータの乗場出入口装置は、乗場出入口の枠を構成する三方枠２と、この三方枠２の片側に設けられ乗場出入口を開閉する扉１と、三方枠２の縁部に着脱可能に設けられ三方枠２と扉１との間の隙間を覆うシート６を巻き取るスプリングが内蔵された巻取装置５とを備えている。【選択図】        図１
2004217355.tif 000002
【特許請求の範囲】
【請求項１】
乗場出入口の枠を構成する三方枠と、
この三方枠の片側に設けられ前記乗場出入口を開閉する扉と、
前記三方枠の縁部または前記扉に着脱可能に設けられ前記三方枠と前記扉との間の隙間を覆うシートを巻き取るスプリングが内蔵された巻取装置と
を備えたエレベータの乗場出入口装置。
【請求項２】
前記スプリングは渦巻き状スプリングである請求項１に記載のエレベータの乗場出入口装置。
【請求項３】
前記巻取装置は、前記スプリングを収納した装置本体を有しており、また前記三方枠は、前記巻取装置を収納する収納部が形成されており、前記装置本体に形成された凸部が前記収納部に設けられたばねに弾接係合されている請求項１または請求項２に記載のエレベータの乗場出入口装置。
【請求項４】
前記装置本体内には、装置本体内の前記シートの出し入れを案内するローラが設けられている請求項１ないし請求項３の何れかに記載のエレベータの乗場出入口装置。
【請求項５】
前記巻取装置は、前記三方枠に着脱可能に設けられており、また前記シートの一端部は、前記扉の端部に着脱可能に設けられている請求項１ないし請求項４の何れかに記載のエレベータの乗場出入口装置。
【請求項６】
乗場出入口の枠を構成する三方枠と、
この三方枠の片側に設けられ前記乗場出入口を開閉する扉と、
前記三方枠の縁部および前記扉にそれぞれ両端部が着脱可能に設けられ、かつ伸縮可能のシートと
を備えたエレベータの乗場出入口装置。
【発明の詳細な説明】
【０００１】
【発明の属する技術分野】
この発明は、三方枠と扉との間の隙間を覆うシートを備えたエレベータの乗場出入口装置に関するものである。
【０００２】
【従来の技術】
従来、エレベータの乗場において、シートの一端部を三方枠に固定し、扉の先端部に内蔵された巻き取りローラによりシートを常に張った状態で、三方枠と扉との間の隙間を覆ったエレベータの乗場出入口装置が提案されている（例えば、非特許文献１参照）。
【０００３】
【非特許文献１】
発明協会公開技報公技番号２００１−６７１号
【０００４】
【発明が解決しようとする課題】
上記エレベータの乗場出入口装置では、シートにより三方枠と扉との間の隙間が覆われているので、扉が開く方向に移動した際に前記隙間に障害物が引き込まれるのを防止することができるものの、巻き取りローラは扉の先端部に固定されており、シートを公告宣伝用として利用しようとしても、シートを簡単に交換することができず、公告内容の変更に容易に対応することができないという問題点があった。
【０００５】
この発明は、かかる問題点を解決することを課題とするものであって、三方枠と扉との間の隙間に障害物が引き込まれるのを防止することができるとともに、シートを簡単に交換することができ、公告内容の変更に容易に対応することができるエレベータの乗場出入口装置を得ることを目的とする。
【０００６】
【課題を解決するための手段】
この発明に係るエレベータの乗場出入口装置は、乗場出入口の枠を構成する三方枠と、この三方枠の片側に設けられ前記乗場出入口を開閉する扉と、前記三方枠の縁部または前記扉に着脱可能に設けられ前記三方枠と前記扉との間の隙間を覆うシートを巻き取るスプリングが内蔵された巻取装置とを備えている。
【０００７】
また、この発明に係るエレベータの乗場出入口装置は、乗場出入口の枠を構成する三方枠と、この三方枠の片側に設けられ前記乗場出入口を開閉する扉と、前記三方枠の縁部および前記扉に両端部がそれぞれ着脱可能に設けられ、かつ伸縮自在のシートとを備えている。
【０００８】
【発明の実施の形態】
以下、この発明の実施の形態について説明するが、同一、同等部材、部位については同一符号を付して説明する。
図１はこの発明の実施の形態のエレベータの乗場出入口装置の正面図、図２は図１のエレベータの乗場出入口装置の平断面図、図３は図２の扉１が開いた状態でのエレベータの乗場出入口装置の平断面図である。
このエレベータの乗場出入口装置は、乗場出入口の枠を構成する三方枠２と、この三方枠２の裏側に設けられ乗場出入口を開閉する一対の扉１と、この扉１の前面に設けられた床３と、三方枠２の縁部に設けられた巻取装置５と、この巻取装置５に一端部が取り付けられ、他端部が扉１の端部に取り付けられた合成樹脂製のシート６とを備えている。このシート６には、公告が表示されている。
【０００９】
図４は巻取装置５の斜視図、図５は図４の巻取装置５の平断面図である。この巻取装置５は、直方体形状の装置本体２０と、この内部に設けられシート６を装置本体２０の内部に巻き込む方向に付勢した渦巻き状のスプリング７と、装置本体２０の内部に立設しシート６を案内する第１のローラ８、第２のローラ９および第３のローラ１０と、装置本体２０の上面および底面に形成された凸部１２とを備えている。
巻取装置５は、凸部１２が三方枠２の縁部に形成された収納部２１にある欠円形状の一対の板ばね１３に、図６に示すように抱持されて、三方枠２に設けられている。
【００１０】
一端がスプリング７の一端に着脱可能に接続されたシート６の他端には、扉取付板１１が固定されている。この扉取付板１１には取付孔１４が形成されており、この取付孔１４に、図７に示すように、フック１５が係止されることで、シート６の他端は扉１の先端部に取り付けられるようになっている。
【００１１】
次に、上記構成のエレベータの乗場出入口装置の動作について説明する。
図１、図２に示すように、扉１が閉じた状態のときには、扉１の前面にはシート６が巻取装置５のスプリング７の弾性力に逆らって張設されている。
扉１が開くときには、シート６はスプリング７の弾性力により、一定の張力を保ちながら装置本体２０の内部に巻き取られる。そのとき、シート６は第２のローラ９、第３のローラ１０により案内され、円滑に装置本体２０の内部に巻き取られる。
このように、扉１が閉じているとき、開いているときおよび扉１の移動時の何れのときにも、シート６により三方枠２と扉１との間の隙間は覆われており、扉１が開く方向に移動した際に隙間に障害物が引き込まれるようなことはない。
【００１２】
また、シート６の公告を変更したいときには、先ず板ばね１３から巻取装置５の凸部１２を取り外し、また扉取付板１１を扉１から外して、巻取装置５およびシート６を三方枠２および扉１から取り外す。
その後、装置本体２０からシート６およびスプリング７を取り出し、シート６をスプリング７から取り外した後、新たな公告が記されたシート６をスプリング７の先端に取り付け、スプリング７の周りに巻回する。
このスプリング７を装置本体２０内に収納するとともに、巻取装置５の凸部１２を収納部２１の板ばね１３に弾性的に係合し、最後に扉取付板１１の取付孔１４にフック１５を係止する。
このように、このエレベータの乗場出入口装置によれば、巻取装置５を取り外してシート６の交換を簡単に行うことができ、公告内容の変更に容易に対応することができる。
【００１３】
なお、上記の実施の形態では、シート６を第２のローラ９、第３のローラ１０で案内したが、第１のローラ８および第３のローラ１０によりシート６を案内し、扉１とシート６との間の隙間をより狭くすることができる。
また、上記実施の形態では、巻取装置５を三方枠２に設けたが、巻取装置を扉１の先端部に着脱可能に設けるようにしてもよい。
また、例えば収納部に凹部を形成し、この凹部に弾接係合する弾性を有する突起を装置本体に形成するようにしてもよい。
また、扉取付板１１に突起を形成し、この突起を係止する凹部を扉の先端部に形成するようにしてもよい。
【００１４】
また、上記実施の形態では、巻取装置５を三方枠２に着脱可能に設けたが、三方枠の縁部および扉のそれぞれに両端部が着脱可能で、かつ伸縮可能なシートを設けるようにしてもよい。このシートとして、例えば蛇腹状のものでもよい。この場合にも、シートに記された公告の内容を変更したいときには、簡単にシートを交換することで、公告内容の変更に容易に対応することができる。
【００１５】
【発明の効果】
以上説明したように、この発明に係るエレベータの乗場出入口装置によれば、乗場出入口の枠を構成する三方枠と、この三方枠の片側に設けられ前記乗場出入口を開閉する扉と、前記三方枠の縁部または前記扉に着脱可能に設けられ前記三方枠と前記扉との間の隙間を覆うシートを巻き取るスプリングが内蔵された巻取装置とを備えたので、三方枠と扉との間の隙間に障害物が引き込まれるのを防止することができるとともに、シートを簡単に交換することができ、公告内容の変更に容易に対応することができる。
【００１６】
また、この発明に係るエレベータの乗場出入口装置によれば、乗場出入口の枠を構成する三方枠と、この三方枠の片側に設けられ前記乗場出入口を開閉する扉と、前記三方枠の縁部および前記扉に両端部がそれぞれ着脱可能に設けられ、かつ伸縮可能のシートとを備えたので、三方枠と扉との間の隙間に障害物が引き込まれるのを防止することができるとともに、シートを簡単に交換することができ、公告内容の変更に容易に対応することができる。
【図面の簡単な説明】
【図１】この発明の実施の形態のエレベータの乗場出入口装置の正面図である。
【図２】図１のエレベータの乗場出入口装置の平断面図である。
【図３】図２の扉が開いた状態でのエレベータの乗場出入口装置の平断面図である。
【図４】図１の巻取装置の斜視図である。
【図５】図４の巻取装置の平断面図である。
【図６】凸部が板ばねに弾接係合される様子を示す図である。
【図７】扉にシートの端部が係止される様子を示す図である。
【図８】巻取装置の他の使用態様を示す平断面図である。
【符号の説明】
１  扉、２  三方枠、５  巻取装置、６  シート、７  スプリング、８  第１のローラ、９  第２のローラ、１０  第３のローラ、１１  扉取付板、１２  凸部、１３  板ばね、１４  取付孔、１５  フック。
【図１】
2004217355.tif 000003
【図２】
2004217355.tif 000004
【図３】
2004217355.tif 000005
【図４】
2004217355.tif 000006
【図５】
2004217355.tif 000007
【図６】
2004217355.tif 000008
【図７】
2004217355.tif 000009
【図８】
2004217355.tif 000010